(57)【特許請求の範囲】
【請求項１】
表裏双方向に折りたたむことができる回転折れ戸であって、
閉成時に同一平面に配置される第一扉および第二扉と、
前記第一扉と前記第二扉との間に設けられた連結部材と、
前記第一扉と前記第二扉を連結し、前記連結部材の上端及び下端に設けられたヒンジ手段と、
一端が前記ヒンジ手段に連結され、他端が前記連結部材に収容されたハウジングと、
前記ハウジングの内側に、対向して設けられた第一磁石と、
閉成時に前記第一磁石と対向し、前記第一扉及び前記第二扉に設けられ、前記第一磁石に対して反磁性を有する第二磁石と、を備える、
ことを特徴とする回転折れ戸。
【請求項２】
前記ハウジングが弧状の側部を有し、この側部の内周に収容溝が形成され、
前記収容溝に、前記第一磁石が設けられ、
閉成時に前記第二磁石と対向する前記第一磁石の側面が弧状に形成されている、
ことを特徴とする請求項１に記載の回転折れ戸。
【請求項３】
前記第二扉は、扉枠に回転可能に軸支されるとともに、前記第二扉と前記扉枠を接続するドアクローザーが設置されている、
ことを特徴とする請求項１又は請求項２に記載の回転折れ戸。
【発明の詳細な説明】
【技術分野】
【０００１】
本発明は、第一扉と第二扉が、連結部材とヒンジ手段により連結されて折りたたみ可能である回転折れ戸に関するものである。
【背景技術】
【０００２】
従来から、扉面の表裏の双方向へ折りたためる構成を有する回転折れ戸が知られている。例えば、特許文献１には、縦連結枠部材を介して配置される第一扉と第二扉が、縦連結枠部材の上下端部に設けられたヒンジ手段により連結された回転折れ戸が開示されている。
このヒンジ手段は、互いに噛み合う一対の歯車と、その歯車と縦連結枠部材軸部材を接続する軸部材と、歯車とともに同軸で回転する一対のアーム材とを有し、第一扉と第二扉は、上下端部において各アーム材に固定されている。
【先行技術文献】
【特許文献】
【０００３】
【特許文献１】特許第４４１２６７７号公報
【発明の概要】
【発明が解決しようとする課題】
【０００４】
しかし、従来の回転折れ戸は、ヒンジ手段の歯車と軸部材との間に遊びが存在しているため、使用者が回転折れ戸を一旦閉成状態にしても、第一扉と第二扉が閉成位置から動いてしまい、適切な位置で閉成状態を維持できないという問題があった。
また、閉成状態を維持するために、ローラ錠を使用する場合があるが、ローラ錠を使用しても回転折れ戸が閉成状態までしっかり閉まらないという問題があった。
【０００５】
本発明は、閉成時に第一扉と第二扉を閉成位置で確実に維持することができる回転折れ戸を提供することを目的とする。
【課題を解決するための手段】
【０００６】
本発明の回転折れ戸は、閉成時に同一平面に配置される第一扉および第二扉と、第一扉と第二扉とを連結するヒンジ手段と、ヒンジ手段に設けられた第一磁石と、閉成時に第一磁石と対向し、第一扉と第二扉の少なくとも一方の所定の位置に設けられ、第一磁石と反磁性を有する第二磁石とを備えている。
【０００７】
本発明の回転折れ戸は、ヒンジ手段に収容溝が形成され、収容溝に第一磁石が設けられていることを特徴とする。
【０００８】
本発明の回転折れ戸において、第二扉は、扉枠に回転可能に軸支されるとともに、第二扉と扉枠を接続するドアクローザーが設置されていることを特徴とする。
【発明の効果】
【０００９】
本発明の回転折れ戸は、ヒンジ手段に第一磁石が設けられ、第一扉および第二扉の少なくとも一方に第一磁石に対して反磁性を有する第二磁石が設けられているため、閉成時に、第一磁石と第二磁石が対向し、両者間に磁力が働く。そのため、回転折れ戸を、第一扉と第二扉が同一平面となる位置で閉成状態を確実に維持することができる。
【００１０】
本発明の回転折れ戸は、ヒンジ手段に収容溝が形成され、この収容溝に第一磁石が保持されているため、回転折れ戸に衝撃等の外的要因が加わった場合でも、第一磁石は収容溝に保持され、第一磁石がずれたり、外れたりすることはない。そのため、回転折れ戸が衝撃等を受けた場合でも、第一扉と第二扉が同一平面となる位置で閉成状態を安定して維持することができる。
【００１１】
本発明の回転折れ戸において、第二扉にドアクローザーが設けられているため、第二扉の閉成速度を調整でき、かつ自閉式の回転折れ戸とすることができる。
【図面の簡単な説明】
【００１２】
【図１】本発明の実施形態に係る回転折れ戸の正面図である。
【図２】本発明の実施形態に係る回転折れ戸の第一扉の正面拡大図である。
【図３】本発明の実施形態に係る回転折れ戸の第一扉の縦断面拡大図である。
【図４】本発明の実施形態に係る回転折れ戸の第二扉の正面拡大図である。（ａ）：上側部分、（ｂ）：下側部分
【図５】本発明の実施形態に係る回転折れ戸のヒンジ手段の要部断面図である。（ａ）：平面から視た横断面図、（ｂ）：正面から視た縦断面図
【図６】本発明の実施形態に係る回転折れ戸のヒンジ手段を示す斜視図である。
【図７】本発明の実施形態に係る回転折れ戸のヒンジ手段を示す分解横断面図である。
【図８】本発明の実施形態に係る回転折れ戸のヒンジ手段を示す縦断面図である。
【図９】本発明の実施形態に係る回転折れ戸の閉成過程を説明するための平面図である。（ａ）：開成状態、（ｂ）：開く途中の状態、（ｃ）：閉成状態
【図１０】本発明の実施形態の変形例１に係る回転折れ戸の開閉機構を示す斜視図である。
【図１１】本発明の実施形態の変形例２に係る回転折れ戸の開閉機構を示す斜視図である。（ａ）：上方から視た斜視図、（ｂ）：下方から見た斜視図
【図１２】本発明の実施形態の変形例２に係る回転折れ戸の開閉機構に第一磁石を取り付ける方法を説明するための図である。（ａ）：上方から視た斜視図、（ｂ）：上方から視た縦断面図
【図１３】本発明の実施形態の変形例２に係る回転折れ戸の開閉機構に第一磁石が取り付けられた状態を示す図である。（ａ）：上方から視た斜視図、（ｂ）：下方から視た縦断面図
【図１４】本発明の実施形態の変形例２に係る回転折れ戸のヒンジ手段を示す縦断面図である。
【図１５】本発明の実施形態に係る回転折れ戸の正面図である（手動式）
【図１６】本発明の実施形態に係る回転折れ戸の第一扉の正面拡大図である（手動式）
【発明を実施するための形態】
【００１３】
本実施の形態に係る回転折れ戸１を、図１〜図８を参照して説明する。
回転折れ戸１は、自閉式の折れ戸であり、第一扉１１（第二扉１２）の表裏双方向に折りたたむことができる。この回転折れ戸１は、図１に示すとおり、扉枠１０の内側に配置され、閉成時に同一平面に配置される第一扉１１および第二扉１２と、第一扉１１と第二扉１２とを連結するヒンジ手段３０とを備えている。このヒンジ手段３０には、図５に示すとおり、第一磁石５１が設けられ、第一扉１１と第二扉１２には、閉成時に第一磁石５１と対向し、第一磁石５１に対して反磁性を有する第二磁石５２が設けられている。なお、第二磁石５２は、第一扉１１と第二扉１２の少なくとも一方の所定の位置に設けられていればよい。
【００１４】
［扉枠１０］
扉枠１０は、側枠１３，１３と、側枠１３，１３の上端に両端が接続される上枠１４を備えている。この上枠１４には、図２に示すとおり、レール１６が設けられ、レール１６上には吊車１７が設けられている。この吊車１７は、４つの車輪１５を有し、レール１６上を自在に走行することができる。
【００１５】
［第一扉１１］
第一扉１１は、長方形をなし、側部２１，２１を有している。第一扉１１は、図３に示すとおり、吊車１７により吊り下げられ、この吊車１７は、第一扉１１を開閉するときに、レール１６上を左右に移動する。吊車１７は、レール１６上の第一扉１１が閉成状態にあるときの位置から第一扉１１が完全に開放状態になるときの位置までの範囲を走行する。そのため、回転折れ戸１の閉じる方向に強い力が加わっても、吊車１７がレール１６に支持されているため、回転折れ戸１はゆっくりと静かに閉じることができる。
また、窓枠１０の上枠１４に、エアダンパー１８が設けられている。このエアダンパー１８により、吊車１７がレール１６上を走行する速度が調整され、第一扉１１と第二扉１２が閉まる動作を減速制御することができる。
また、第一扉１１には、回転折れ戸１を開閉するための取手２３およびサムターン錠２４が設けられている。
【００１６】
［第二扉１２］
第二扉１２は、長方形をなし、側部２２，２２を有している。側部２２の一方は、側部連結部材２５によって第一扉１１の側部２１の一方と連結され、回転折れ戸１の閉成時は、第一扉１１と同一平面に配置される。
第二扉１２には、図４（ａ）に示すとおり、第二扉１２と上枠１４を接続するドアクローザー２８が設けられている。ドアクローザー２８を設けることで、回転折れ戸１を自閉式とすることができ、回転折れ戸１の閉成する速度を調整することができる。また、第二扉１２は、上端部を回転可能に軸支されるとともに、下端部を回転部材２６に軸支されている（図４（ｂ））。
【００１７】
［連結部材２５］
連結部材２５は、第一扉１１の側部２１と第二扉１２の側部２２を連結している（図１）。連結部材２５は、図６に示すとおり、円筒状の部材の側面同士を連結させた形状を有している。連結部材２５は、第一扉１１および第二扉１２とほぼ同じ長さを有し、両端にヒンジ手段３０がそれぞれ設けられている。
【００１８】
［ヒンジ手段３０］
ヒンジ手段３０は、第一扉１１と第二扉１２を、上側および下側の２箇所で連結している。ヒンジ手段３０は、ヒンジ部材３１と、ヒンジ部材の下方に設けられている開閉機構４０を備えている。
ヒンジ部材３１は、図７に示すとおり、ハウジング３２、連結金具３６、ハウジング３２に回動可能に収容され、互いに噛み合う一対の歯車３３，３３、及び連結金具３７を備えている。また、ヒンジ部材３１と開閉機構４０の間には、歯車３３と共に同軸で一体回動し、歯車３３が固定されている一対のアーム材３５が設けられている。
アーム材３５は、クランク状をなし、ヒンジ手段３０と第一扉１１（第二扉１２）を接続する。第一扉１１を接続するアーム材３５は、一端が後述するハウジング４１に固定され、他端が第一扉１１の上端に固定されている。同様に、第二扉１２を接続するクランク状のアーム部材３５は、一端がハウジング４１に固定され，他端が第二扉１２の上端に固定されている。なお、各アーム部材３５，３５はビス等で固定することができる。
【００１９】
開閉機構４０は、ハウジング４１と、歯車３３とともに同軸で一体的に回動する一対の軸（シャフトピン）４２、連結金具４８およびナット４９を備えている。この開閉機構４０は、連結枠部材２５に挿着されることによって、ヒンジ手段３０と連結部材２５は連結されている（図６）。
ハウジング４１は、円筒状の部材の側面同士を連結させた構造を有している。ハウジング４１は、途中で内径が小さくなっている。そのため、上側のハウジング４１と下側のハウジング４１の境界には段差部４６が形成される。また、ハウジング４１の上端部には、図７に示すとおり、ハウジング４１の内部まで貫通する貫通孔がそれぞれ設けられている。軸４２は、円盤状の頭部と、頭部から垂下する軸部と、軸部の下側に形成され、ネジ溝が形成された螺子部を有する。
開閉機構４０は、ヒンジ手段３０と、ハウジング４１および連結金具４８を貫通させた軸４２にナット４９を螺合することにより、ヒンジ部材３１と接続されている。
【００２０】
［第一磁石５１］
本実施形態に係る回転折れ戸１は、第一磁石５１と第二磁石５２が設けられていることが特徴部分である。
第一磁石５１は、図８に示すとおり、ハウジング４１の内周であって、閉成時に第一扉１１の側部２１と対向する位置、および第二扉１２の側部２２と対向する位置にそれぞれ設けられている。
第一磁石５１は、開閉機構４０の上側のハウジング４１の内周に２つ、下側のハウジング４１の内周面に２つ、合計４つ設けられている。第一磁石５１は、例えば、磁力が強いであるネオジム磁石を使用することができる。
第一磁石５１は，接着剤やテープ等の粘着材料を使用して、ハウジング４１の内周に固定することができる。
【００２１】
［第二磁石５２］
第二磁石５２は、第一扉１１の側部２１および第二扉１２の側部２２であって、閉成時に第一磁石５１と対向する位置に、それぞれ設けられている。第二磁石５２は、第一扉１１の側部２１の上方および下方に１つずつ、第二扉１２の側部２２の上方および下方に１つずつ、合計４つ設けられている。第二磁石５２は、第一磁石５１に対して反磁性を有する磁石を使用する。第二磁石５２は、例えば、ネオジム磁石を使用することができ、粘着材料やカバー部材により固定することができる。
また、第一磁石５１および第二磁石５２は、第一扉１１と第二扉１２が閉成した位置で、第一磁石５１と第二磁石５２間に働く引力が最も大きくなるように配置されている。
【００２２】
次に、回転折れ戸１の開閉動作について、図９を参照して説明する。
回転折れ戸１の閉成時は、第一扉１１および第二扉１２は、同一平面上に配置される。上述したとおり、第一扉１１と第二扉１２が同一平面上に配置されている状態が、第一磁石５１と第二磁石５２の間に働く引力が最も大きい。
第一扉１１と第二扉１２は、第一磁石５１と第二磁石５２の間の引力により、閉成状態を維持している。
回転折れ戸１は、連結部材２５を押す又は引く操作、第一扉１１を回動する操作をすることで、吊車１７がレール１６にそって走行し、第一扉１１と第二扉１２が相互に重なり合うように折りたたまれる。そうすると、第一扉１１が第二扉１２側に引き寄せられ、回転折れ戸１は開放される。
本実施形態では、取手２３を使用して、回転折れ戸１を開閉する場合について説明する。
【００２３】
第一扉１１の取手２３を引くと、回転折れ戸１は折れ曲がり、第一扉１１と第二扉１２は折りたたまれる。第一扉１１と第二扉１２が折りたたまれるに従い、第一磁石５１と第二磁石５２の距離が長くなるため、第一磁石５１と第二磁石５２間の引力は小さくなる。この引力が小さくなると、第一扉１１と第二扉１２は、重なり合う方向に移動しやすくなり、回転折れ戸１を、円滑に開状態にすることができる。
また、回転折れ戸１の開状態では、両磁石間には引力が、ほとんど働かないため、回転折れ戸１の開状態は維持される。
【００２４】
次に、回転折れ戸１を閉成する操作について説明する。
回転折れ戸１の開状態から、図９に示すとおり、取手２３を押すと、重なり合っていた第一扉１１と第二扉１２が同一面上に配置されるように移動する。このように両扉が同一平面上になるように移動するにつれて、第一磁石５１と第二磁石５２の距離は短くなるため、第一磁石５１と第二磁石５２の間の引力は大きくなる。そして、第一磁石５１と第二磁石５２の間に働く引力が最も大きくなる位置である、第一扉１１と第二扉１２が同一平面上になる位置で、回転折れ戸１は維持される。
回転折れ戸１は、第一磁石５１（第二磁石５２）を上側と下側に２箇所ずつ設けているため、磁石の引力は局所的には働かない。そのため、第一扉１１と第二扉１２を閉成状態まで円滑に移動させることができる。
したがって、回転折れ戸１を確実に閉成状態とすることができる。さらに、閉成状態では、第一磁石５１と第二磁石５２の引力により、第一扉１１と第二扉１２は、閉成された位置で保持される。そのため、回転折れ戸１は、閉成状態を確実に維持することができる。
以上、本実施形態の回転折れ戸１の一方向の開閉動作について説明したが、回転折れ戸１は双方向に開閉することができ、本実施形態と反対側に開閉する場合でも、回転折れ戸１は、閉成状態を確実に維持することができる。
なお、第一扉１１および第二扉１２において、第二磁石５２が設けられる位置は、第一磁石５１と対向する位置であって、第一磁石５１との間に引力が働く位置であれば、設けられる位置は限定されない。
【００２５】
［変形例１］
次に、本実施形態の回転折れ戸１の変形例１について説明する。
本変形例に係る回転折れ戸１の開閉機構４０のハウジング６０の内周には、図１０に示すように、第一磁石５１を保持（固定）するための収容溝６１が形成されている。本変形例の回転折れ戸１は、ハウジング６０の構造以外は、本実施形態と同じ構成とする。
収容溝６１は、第一磁石５１の形状に合わせて、形成する。第一磁石５１は、この収容溝６１に嵌め込まれ、保持される。このように、収容溝６１に第一磁石５１を設けることにより、粘着材料等を使用せずに、第一磁石５１をハウジング６０の内周に保持することができる。
第一磁石５１は、収容溝６１に保持されているため、回転折れ戸１に衝撃等の外的要因が加わった場合でも、第一磁石５１の位置がずれたり、外れたりすることはない。したがって、回転折れ戸１の開閉を安定して行うことができ、より確実に閉成状態を維持することができる。
【００２６】
［変形例２］
次に、本実施形態の変形例２について、図１１〜図１４を参照して、説明する。
本変形例に係る回転折れ戸１の開閉機構４０のハウジング７０の上面７１には、図１１に示すように、第一磁石５１が挿入される収容溝（収容孔）７２が円周の縁に２つ形成されている。収容溝７２は、第一磁石５１と同様な形状を有し、ハウジング７０の段差部分が底部７３をなしている。各収容溝７２は、第二磁石５２と対応する位置に形成され、互いに対向する位置に形成されている。収容溝７２の内周側の側面は、ハウジング７０の内部に開口されている。
なお、本変形例の回転折れ戸１は、ハウジング７０の構造以外は、本実施形態と同様な構成とする。
第一磁石５１は、図１２に示すように、開閉機構４０の上側から直接、収容溝７２に挿入され、第一磁石５１が底部７３に支持されることで、収容溝７２に保持される。このように、本変形に係る回転折れ戸１の第一磁石５１は、収容溝７２に保持されるため、回転折れ戸１に衝撃等の外的要因が加わった場合でも、第一磁石５１の位置がずれたり、外れたりすることはない。さらに、第一磁石５１は、ハウジング７０の外側から挿入することができるため、ハウジング７０の内側から第一磁石５１を設ける場合と比較して、容易にハウジング７０に設けることができる。
挿入する第一磁石５１の長さは、収容溝７２の長さよりも短いものを使用する。そのため、第一磁石５１を収容溝７２に収容した状態では、図１３に示したように、収容溝７２の上部には隙間が形成される。また、収容溝７２の側面が開口されているため、第一磁石５１の側面は、ハウジング７０の内部に露出している。
第一磁石５１は、図１４に示すように、収容溝７２に保持されることで、第一扉１１に設けられた第二磁石５２と対向する。このような構成とすることによっても、回転折れ戸１は、閉成状態を確実に維持することができる。
【００２７】
以上、自閉式の回転折れ戸１の閉成について説明したが、開閉機構４０は、手動式の回転折れ戸２に適用することもできる。手動式の回転折れ戸２の場合、図１５および図１６に示すとおり、窓枠１０の上枠１４に、エアダンパー１８が設けられている。このエアダンパー１８により、吊車１７がレール１６上を走行する速度が調整される。このエアダンパー１８により、ヒンジ手段３０の第一磁石５１と第二磁石５２同士が互いに引き合って、第一扉１１と第二扉１２が閉まる動作を減速制御することができる。
【００２８】
以上、本実施形態について説明したが、これ以外にも、本発明の主旨を逸脱しない限り、上記実施の形態で挙げた構成を取捨選択したり、他の構成に適宜変更することが可能である。例えば、本実施形態では、第一磁石５１と第二磁石５２がそれぞれ４つ設けられている回転折れ戸について説明したが、第一磁石５１および第二磁石５２を設ける個数は、適宜変更することができる。また、第一磁石５１は、ハウジング４１の内周に設けた例を示したが、第二磁石５２と対応（対向）する位置であれば、設ける部材や位置は限定されない。
本実施形態において、ヒンジ手段３０は連結部材２５の上端および下端に設けられているが、どちらかの端部に設ける構造としてもよい。
また、第一扉１１に設けた第二磁石５２と第二扉１２に設けた第二磁石５２を反対の極性を有する磁石を用いることで、回転折れ戸１の開状態において両磁石間に引力が働くため、安定して開状態を維持することもできる。
【符号の説明】
【００２９】
１，２      回転折れ戸
１０    窓枠
１１    第一扉
１２    第二扉
１３    側枠
１４    上枠
１５    車輪
１６    レール
１７    吊車
１８    エアダンパー
２１    側部
２２    側部
２３    取手
２４    サムターン錠
２５    連結部材
２６    回動部材
２８    ドアクローザー
３０    ヒンジ手段
３１    ヒンジ部材
３２    ハウジング
３３    歯車
３４    円環部
３５    アーム部材
３６，３７  連結金具
４０    開閉機構
４１    ハウジング
４２    軸（シャフトピン）
４６    段差部
４８    連結金具
４９    ナット
５１    第一磁石
５２    第二磁石
６０    ハウジング
６１    収容溝
７０    ハウジング
７１    上面
７２    収容溝
７３    底部
【図１】
0006341385.tif 000002
【図２】
0006341385.tif 000003
【図３】
0006341385.tif 000004
【図４】
0006341385.tif 000005
【図５】
0006341385.tif 000006
【図６】
0006341385.tif 000007
【図７】
0006341385.tif 000008
【図８】
0006341385.tif 000009
【図９】
0006341385.tif 000010
【図１０】
0006341385.tif 000011
【図１１】
0006341385.tif 000012
【図１２】
0006341385.tif 000013
【図１３】
0006341385.tif 000014
【図１４】
0006341385.tif 000015
【図１５】
0006341385.tif 000016
【図１６】
0006341385.tif 000017